(57)【要約】  【課題】    簡素な構造の装置本体を有し、自分自身で足首を引き上げて逆さにぶら下がることができる逆さ吊り装置を提供することを課題とする。  【解決手段】    枠体の正面の外形が縦長の長方形で、側面がはこがまえ形状に形成され、上端部には手動式吊上げ装置を設置した逆さ吊り装置であって、前記手動式吊上げ装置は手動操作部と、足首を吊り上げる吊り部材を備えた足首吊上げ部と、手動操作により前記吊り部材を巻き取る巻取り機構部とからなるように構成する。【選択図】        図１
2006020974.tif 000002
【特許請求の範囲】
【請求項１】
枠体の正面の外形が縦長の長方形で、側面がはこがまえ形状に形成され、上端部には手動式吊上げ装置を設置した逆さ吊り装置であって、前記手動式吊上げ装置は手動操作部と、足首を吊り上げる吊り部材を備えた足首吊上げ部と、手動操作により前記吊り部材を巻き取る巻取り機構部とからなることを特徴とする逆さ吊り装置。
【請求項２】
前記手動操作部がチェーンを一定方向に移動することによって枠体側に設けられた鎖車を回転するチェーン式手動巻取り装置を形成し、足首吊上げ部が吊り部材の下端に足を挿入して足首を保持するリング状足首保持部を形成し、巻取り機構部が前記鎖車に直結された小歯車とローラチェーンを介して一定の歯数比で噛み合う巻取り側歯車を嵌着した吊り部材巻取り軸を有することを特徴とする請求項１記載の逆さ吊り装置。
【請求項３】
巻取り機構部には吊下し速度を減速する減速手段を備えたことを特徴とする請求項１記載の逆さ吊り装置。
【発明の詳細な説明】
【技術分野】
【０００１】
本発明は、足首を上方へ吊り上げて逆様にぶら下がることにより身体を伸張させる逆さ吊り装置に関する。
【背景技術】
【０００２】
重力によって背骨や各関節が圧縮されている人体を、何らかの方法によって各骨の間隔を引き伸ばすと、血液、リンパ液の循環や神経の圧迫軽減を図ることができ、健康維持に効果的である。このため、活発に運動している者だけでなく、日ごろ運動をする機会のない者や老人のように動きの少ない者も含めて、一人で、自宅あるいは職場等の自宅に準じる場所で、手軽に引き伸ばしが行えるようになることが望まれている。
このような多くの要望に応えるため、従来から多種多様な逆さ吊り装置が作り出されている。例えば、
(a)  足首近くの部分とひざの裏側部分との２点で支持し、足首支持部材とひざ支持部材とを保持する保持枠を上部で揺動可能にして、ひざを折り曲げた状態で身体を逆様に吊上げる（実開平６−７４１６２号公報）。
(b)  梯子形のぶら下がり器具と、ブーツ形引っ掛け具と、シーソー形体重受け具と、昇り降り補助バーとからなり、シーソー形体重受け具に横たわって自分の足でブーツ形引っ掛け具を梯子形のぶら下がり器具に引っ掛けながら下肢の高さを頭よりも高く上げる（実開平７−３４５号公報）。
(c)  回転架台と、この回転架台に横たわった人の足先を固定する足先固定部と、手動操作の回転ハンドルと、この回転ハンドルに連結した減速伝導手段と、この減速伝導手段により回転架台を回動することにより、回転架台に横たわった人を足先が頭よりも高くなるようにする（特開平１０−９４５６７号公報）。
(d)  滑車に掛けられたロープの両端に足首を挿入するリングを設け、足側よりも頭側が高く設定された傾斜台を設け、傾斜台に横たわった人がそのままで両足を交互に上下動可能にする（特開２０００−１６７０８２号公報）。
(e)  一端を昇降自在に形成した身体載置台となる板と、この板の一端を昇降して頭が下で足が上になるようにする昇降装置とからなり、板に横たわった人を頭よりも足先が高い位置になるように板の端部を上昇させる（特開２００１−５８０号公報）。
このような従来の逆さ吊り装置では、大型化、複雑化の傾向があり、設置場所には相応の場所が必要になり、使用には手順を踏んだ操作が必要であったり、または介添者あるいは指導者を必要とするものであったり、あるいは特別な運動能力を必要とするものであったりしている。
【０００３】
【特許文献１】実開平６−７４１６２号公報
【特許文献２】実開平７−３４５号公報
【特許文献３】特開平１０−９４５６７号公報
【特許文献４】特開２０００−１６７０８２号公報
【特許文献５】特開２００１−５８０号公報
【０００４】
〔問題点〕
従来の逆さ吊り装置は、足を頭よりも高く持ち上げる点では同じだが、身体を横たえる載置台が備えられているものでは、台上で支えられているため身体の引伸ばし効果が減少することになり、また載置台のない装置では、ひざから引き上げられるため、背骨引伸ばしには効果があっても、足には効果的ではなかった。
また、装置が複雑で大型になると、装置の設置場所が限られ、自分ひとりでは扱えないか、誰か介添えの者がいないと危険な状態が起こり得るため、気楽に使用することができない場合が多い。
【発明の開示】
【発明が解決しようとする課題】
【０００５】
本発明は、従来の技術における前記問題点に鑑みてなされたものであり、これを解決するため具体的に設定した技術的な課題は、従来のぶら下がり健康機と同様に簡素な構造の装置本体を有し、自分自身で足首を引き上げて逆さにぶら下がることができる、逆さ吊り装置を提供することにある。
【課題を解決するための手段】
【０００６】
本発明における前記課題が効果的に解決される逆さ吊り装置を特定するために、必要と認める事項の全てが網羅され、具体的に構成された、課題解決手段を以下に示す。
逆さ吊り装置に係る第１の課題解決手段は、枠体の正面の外形が縦長の長方形で、側面がはこがまえ形状に形成され、枠体の上端部には手動式吊上げ装置を設置した逆さ吊り装置であって、前記手動式吊上げ装置は手動操作部と、足首を吊り上げる吊り部材を備えた足首吊上げ部と、手動操作により前記吊り部材を巻き取る巻取り機構部とからなることを特徴とする。
【０００７】
同上逆さ吊り装置に係る第２の課題解決手段は、前記手動操作部がチェーンを一定方向に移動することによって枠体側に設けられた鎖車を回転するチェーン式手動巻取り装置を形成し、足首吊上げ部が吊り部材の下端に足を挿入して足首を保持するリング状足首保持部を形成し、巻取り機構部が前記鎖車に直結された小歯車とローラチェーンを介して一定の歯数比で噛み合う巻取り側歯車を嵌着した吊り部材巻取り軸を有することを特徴とする。
【０００８】
また、同上逆さ吊り装置に係る第３の課題解決手段は、巻取り機構部には吊下し速度を減速する減速手段を備えたことを特徴とする。
【発明の効果】
【０００９】
逆さ吊り装置に係る第１の課題解決手段では、枠体が市販のぶら下がり健康器具のように簡素な枠体を有し、手動操作部を自分自身で操作することにより、足首吊上げ部に保持された足首を、巻取り機構部が巻上げあるいは巻下げることで、吊上げあるいは吊下しでき、身体を逆さ吊りにしあるいは逆さ吊りを解除することができて、手軽にかつ容易に骨や関節を引き伸ばすことができる。
このため、重力によって背骨や各関節が圧縮されている身体を引き伸ばして、各骨の間隔を広げて骨格の歪みを除き、身体各部の機能を増強あるいは修復に役立たせることができる。
また、活発に運動している者だけでなく、日ごろ運動をする機会のない者や老人のように動きの少ない者も含めて、一人で、自宅あるいは自宅に準じる場所で、手軽に、逆さ吊り健康法を実行することができる。
【００１０】
逆さ吊り装置に係る第２の課題解決手段では、吊り部材の下端に設けられたリング状足首保持部に足を保持させ、チェーン式手動巻取り装置のチェーンを吊上げ方向へ移動することによって鎖車を回転し、鎖車に直結された小歯車とローラチェーンを介して噛み合う巻取り側歯車とを回転して吊り部材を巻き上げることによって、ゆっくりと徐々に足首を吊り上げ、体全体が逆さ吊り状態になるまで吊り上げることができる。また、吊り上げられた状態で、チェーンを吊下げ方向へ移動することによってゆっくりと徐々に足首を下げることができる。
巻取り機構部では、吊り部材巻取り軸に吊り部材を巻き取らせるから、チェーン側の操作に比して吊上げ吊下しが少しずつ行われるようになり、利用者の負担が軽く、力の強い者だけが利用できる装置ではなく、日頃あまり運動をしない者や年寄り等の力の弱い者であっても容易に自分自身を吊り上げることができる扱い易い逆さ吊り装置を実現できる。
【００１１】
また、逆さ吊り装置に係る第３の課題解決手段では、巻取り機構部が吊下し速度を減速する減速手段を備えたことにより、吊下しが少量ずつ緩慢に行われて、急速な吊下しを防止することができ、チェーン操作を誤っても、またチェーンから手を離した場合でも、急速に落下することがなく、利用者、特に利用者の頭部に重大な損傷を与えるような障害を生じる事態を避けることができる。
【発明を実施するための最良の形態】
【００１２】
以下、本発明による最良の実施形態を具体的に説明する。
ただし、この実施形態は、発明の趣旨をより良く理解させるため具体的に説明するものであり、特に指定のない限り、発明内容を限定するものではない。
【００１３】
〔構成〕
この実施形態に係る逆さ吊り装置は、図１〜３に示すように、枠体１０を正面の外形が縦長の長方形に、側面が「はこがまえ（匚）」形状になるように形成する。
枠体１０の側面には、垂直方向に立設した枠材１０ａと水平方向に設けた枠材１０ｂ，１０ｃとの間に、斜めに向けた枠材１０ｄ，…，１０ｄを架け渡して着脱自在に固定し、枠体１０の正面又は背面に垂直方向に立設した２つの枠材１０ａ，１０ａの間に、各枠材１０ａ，１０ａを３等分する位置に水平方向に向けた２つの枠材１０ｅ，１０ｅを架け渡して固着する。
【００１４】
枠材１０ａに対して下端部の枠材１０ｂと上端部の枠材１０ｃとは、図４，５に示すように、それぞれの取付部にピン１２を挿入し回動自在に組み付け、ピン１２の両端にスナップリング１３，１３を外嵌して、ピン１２の抜けを防止する。
これにより、枠材１０ａと上端下端の各枠材１０ｂ，１０ｃとの間に斜めに取り付けた枠材１０ｄ，…，１０ｄを取り外した後では、枠材１０ｂと枠材１０ｃとが枠材１０ａに近接する方向（図４の矢印方向）へ折り畳むことができ、使用しない時には小さく折り畳んで仕舞うことができるようにする。
枠材１０ａの下端部にはゴムキャップ１４を被せて滑り止め兼用の床面傷付き防止材とする。また、下端部の枠材１０ｂには前側の隅部に床と当接する当接部材１５，１５を突設して、その表面にもゴムキャップ１６，１６を被せ、滑り止め兼用の床面傷付き防止材とする。
【００１５】
枠体１０の上端部の枠材１０ｃには、図１，６に示すように、手動式吊上げ装置２０を設置する。
この手動式吊上げ装置２０は、手動操作部２１と、紐状あるいはベルト状に形成した足首を吊り上げる吊り部材２２ａを備えた足首吊上げ部２２と、手動操作により前記吊り部材２２ａを巻き取る巻取り機構部２３とからなる。
手動操作部２１は、チェーン２１ａと、チェーン２１ａを巻回した鎖車２１ｂと、この鎖車２１ｂに同軸的に直結された小歯車２１ｃ，２１ｃと、鎖車２１ｂおよび小歯車２１ｃ，２１ｃを嵌着する操作側の回転軸２１ｄと、この回転軸２１ｄの両端を枠体上端部の枠材１０ｃ上で支持する軸受２１ｅ，２１ｅとからなる。
【００１６】
足首吊上げ部２２は、吊り部材２２ａ，２２ａの下端に設けて挿入した足の足首を保持するリング状足首保持部２２ｂ，２２ｂと、リング状足首保持部２２ｂ，２２ｂと吊り部材２２ａ，２２ａとの間を接続するベルト状接続部材２２ｃ，２２ｃと、ベルト状接続部材２２ｃ，２２ｃを一端に接続し他端を巻取り機構部２３の巻取り軸２３ａに接続して巻き取られあるいは巻き戻される吊り紐または吊りワイヤ等からなる吊り部材２２ａ，２２ａとからなる。
巻取り機構部２３は、足首吊上げ部２２の吊り部材２２ａ，２２ａを巻き付ける巻取り軸２３ａと、手動操作部２１の小歯車２１ｃ，２１ｃにローラチェーン２４を介して一定の歯数比で噛み合う巻取り側歯車２３ｂ，２３ｂと、巻取り軸２３ａおよび巻取り側歯車２３ｂ，２３ｂを同軸的に嵌着する巻取り側の回転軸２３ｃと、この回転軸２３ｃの両端を枠体上端部の枠材１０ｃ上で支持する軸受２３ｄ，２３ｄとからなる。
【００１７】
手動操作部２１のチェーン２１ａは、鎖車２１ｂから逆さ吊りされた身体の胸部近傍まで垂れ下がり、そこから鎖車２１ｂまで戻る、継ぎ目無く繋ぎ合わされた無限操作索を形成する。
足首吊上げ部２２では、吊り部材２２ａ，２２ａとベルト状接続部材２２ｃ，２２ｃとの接続部に、足幅乃至肩幅程度の長さを有する棒状接続部材２２ｄの端部を固着して、リング状足首保持部２２ｂ，２２ｂが股裂き方向に両足が拡がらないように位置規制する。
巻取り機構部２３の軸受２３ｄ，２３ｄを配置した位置には、足首を吊り上げる時に途中で、チェーン２１ａを持つ手を離して身体が落下する方向へ体重による荷重が吊り部材２２ａ，２２ａに加えられる状態、または急速にチェーン２１ａを引き下げるような操作をした状態等の場合に、巻取り側の回転軸２３ｃの急激な動きを規制して、吊下し速度を減速し、緩やかに回転して吊り下ろすように動きを制御する減速手段（図示せず）を備える。
【００１８】
手動式吊上げ装置２０の手動操作部２１と巻取り機構部２３との関係では、図６に示すように、鎖車２１ｂの径Ｄと小歯車２１ｃの径ｄ１との比をＤ／ｄ１＝４に、小歯車２１ｃの径ｄ１と巻取り側歯車２３ｂの径ｄ２との比をｄ１／ｄ２＝１／２に設定し、巻取り側歯車の径ｄ２と巻取り軸２３ａの径ｄ３との比をｄ２／ｄ３＝５／４に設定している。
このため、巻取り軸２３ａを１回転するためには、鎖車２１ｂが２回転しなければならず、チェーン２１ａを鎖車２１ｂの周長πＤの２倍になる長さにつき同一方向へ動かさなければならない。
また、定常状態では、上げ下ろし時の力が均衡して、操作が容易になる。
【００１９】
〔作用効果〕
このように構成した実施形態の逆さ吊り装置では、足首吊上げ部２２のリング状足首保持部２２ｂ，２２ｂに足首を挿入して抜けないように保持し、手動操作部２１のチェーン２１ａを吊上げ方向に移動するように自分自身で操作することにより、足首を徐々に吊り上げ、身体を逆さ吊りにする。身体の矯正に必要な時間だけ逆さ吊りになっていた後、自分自身の操作でチェーン２１ａを吊下げ方向に移動して、足首をリング状足首保持部２２ｂ，２２ｂから外すことができるようになるまで、身体をゆっくりと下ろす。このようにして、自分自身で逆さ吊りを簡単に行うことができるようになる。
【００２０】
この逆さ吊り装置では、市販のぶら下がり健康器具のように簡素な枠体１０で必要な強度と空間を確保することができる。
足首吊上げ部２２のリング状足首保持部２２ｂ，２２ｂに保持された足首を、巻取り機構部２３がゆっくりと吊上げあるいは吊下しでき、無理なく身体を逆さ吊りにしあるいは逆さ吊りを解除することができて、手軽にかつ容易に骨や関節を引き伸ばすことができる。
このため、重力によって背骨や各関節が圧縮されている身体を引き伸ばして、各骨の間隔を広げて骨格の歪みを除き、血液、リンパ液の循環を促進し、神経の圧迫を解除して神経伝達物質の移送を容易にし、身体各部の機能を増強あるいは修復に役立たせることができる。
この逆さ吊り装置を用いることにより、活発に運動している者だけでなく、日ごろ運動をする機会のない者や老人のように動きの少ない者も含めて、手動操作部２１を自分自身で操作することによって、自宅あるいは自宅に準じる場所で、各自の必要に応じて、手軽に逆さ吊り健康法を実行することができる。
【００２１】
また、この逆さ吊り装置では、吊り部材２２ａ，２２ａの下端に設けられたリング状足首保持部２２ｂ，２２ｂに足を挿入して足首を保持してから、チェーン２１ａを吊上げ方向へ移動することによって鎖車２１ｂを回転し、鎖車２１ｂに直結された小歯車２１ｃ，２１ｃとローラチェーン２４を介して噛み合う巻取り側歯車２３ｂ，２３ｂとを回転し、巻取り側の回転軸２３ｃを回転して、吊り部材２２ａ，２２ａを巻取り軸２３ａに巻き取らせ、ゆっくりと徐々にリング状足首保持部２２ｂ，２２ｂを吊り上げることによって足首を吊り上げ、体全体が逆さ吊り状態になるまで吊り上げることができ、また、吊り上げられた状態で、チェーン２１ａを吊下げ方向へ移動することによって、巻取り軸２３ａに巻回された吊り部材２２ａ，２２ａが繰出されて、ゆっくりと徐々に身体を下げることができる。
【００２２】
このように、巻取り機構部２３には、巻取り軸２３ａに吊り部材２２ａ，２２ａを巻き取らせて、リング状足首保持部２２ｂ，２２ｂを吊り上げるから、吊上げが少しづつ行われるようになり、利用者の負担を軽くし、力の強い者だけが利用できる装置ではなく、日頃あまり運動をしない者や年寄り等の力の弱い者であっても容易に自分自身を吊上げることができる、扱い易い逆さ吊り装置を実現できる。
【００２３】
また、この逆さ吊り装置では、巻取り機構部２３が吊下し速度を減速する減速手段を備えたことにより、吊下しが少しづつ行われるだけでなく、急速な吊下しを防止することができ、チェーン操作を誤っても、またチェーンから手を離した場合でも、急速に落下することがなく、利用者、特に利用者の頭部に重大な損傷を与えるような障害を生じる事態を避けることができる。
【００２４】
〔別態様〕
このような実施の形態は、発明の趣旨を理解しやすくするため具体的に説明しているが、発明内容を限定するものではないから、特に説明されていない（意匠的な内容も含む）別の態様を制限するものではなく、適宜変更しても良い。このような意味で発明の趣旨に沿ういくつかの別態様を以下に示す。
【００２５】
スペース的に余裕のある場所に設置するものでは、枠材１０ａと各枠材１０ｂ，１０ｃとの間に斜めに向けて着脱自在に取り付けた枠材１０ｄ，…，１０ｄの他に、下端部の枠材１０ｂと上端部の枠材１０ｃとの間を結ぶ縦方向に向けた枠材を追加して縦方向の剛性を高くしても良い。
吊り上げる際に身体のすべりを良くするための背当てあるいは敷物を設置しても良い。この場合、背当てあるいは敷物は床面と平行である必要はなく、前側が低く後側が高く傾斜した斜面を形成したものであっても良い。
手動操作部には、市販のチェーンブロックをそのまま利用しても良い。
【図面の簡単な説明】
【００２６】
【図１】本発明の逆さ吊り装置の実施態様を示す側面説明図である。
【図２】同上逆さ吊り装置の正面説明図である。
【図３】同上逆さ吊り装置の平面図である。
【図４】同上逆さ吊り装置における枠体下端部の枠材取付部を示す拡大部分断面側面説明図である。
【図５】同上逆さ吊り装置における枠材の回動自在な接続部を示す拡大横断面平面説明図である。
【図６】同上逆さ吊り装置における手動式吊上げ装置の動力伝達系を示す拡大側面説明図である。
【符号の説明】
【００２７】
１０  枠体
１０ａ，１０ｂ，１０ｃ，１０ｄ，１０ｅ  枠材
１２  ピン
１３  スナップリング
１４，１６  ゴムキャップ
１５  当接部材
２０  手動式吊上げ装置
２１  チェーン
２１ａ  チェーン
２１ｂ  鎖車
２１ｃ  小歯車
２１ｄ  回転軸
２１ｅ  軸受
２２  足首吊上げ部
２２ａ  吊り部材
２２ｂ  リング状足首保持部
２２ｃ  ベルト状接続部材
２３  巻取り機構部
２３ａ  巻取り軸
２３ｂ  巻取り側歯車
２３ｃ  （巻取り側の）回転軸
２３ｄ  軸受
２４  ローラチェーン
【図１】
2006020974.tif 000003
【図２】
2006020974.tif 000004
【図３】
2006020974.tif 000005
【図４】
2006020974.tif 000006
【図５】
2006020974.tif 000007
【図６】
2006020974.tif 000008